(57)【要約】      （修正有）【課題】作業中における外物への引っ掛かりを防ぐことができ、地面や床に置いたときに縦方向に立てることができるボンベ背負いプレートを提供する。【解決手段】ボンベ背負いプレート１では、保護領域４が弁装置１４の下方に離間位置するように装着領域３から下方に延びるにつれて装着領域３の後方へ向かって次第に湾曲している。このプレート１は、保護領域４の中央部７から下方に延びていて保護領域４の前面５で前後方向へ旋回可能なスタンド９を備え、スタンド９と保護領域４の下端部８とを介して縦方向に立てることができる。【選択図】図１
2004275436.tif 000002
【特許請求の範囲】
【請求項１】
縦方向に固定具を介して高圧空気ボンベを着脱可能に取り付ける装着領域と、前記装着領域の下方に位置して前記ボンベの下部に取り付けられた弁装置の外物への接触を防ぐ保護領域とを備え、前記ボンベを背負う装着者の背中と向かい合う前面と、前記ボンベと向かい合う後面とを有し、前記装着者の背中に締着ベルトを介して固定可能な縦長のボンベ背負いプレートにおいて、
前記保護領域が、前記弁装置の下方に離間位置するように前記装着領域から下方へ延びるにつれて該装着領域の後方へ向かって次第に湾曲し、前記プレートが、前記保護領域の縦方向中央部から下方に延びていて該保護領域の前面で前後方向へ旋回可能なスタンドを備え、
前記スタンドが、前記保護領域の前方へ旋回して該保護領域と所定の角度をなした位置で固定可能、かつ、前記保護領域の縦方向下端部と協働して任意の場所に据わることで前記プレートを縦方向に立てることが可能であることを特徴とする前記背負いプレート。
【請求項２】
前記スタンドが、横方向へ対向離間して前記保護領域の中央部の後面に回転可能に支持された一対の横方向回転軸と、前記保護領域の両側縁近傍に位置するとともに前記回転軸につながって該保護領域の後面から前面に向かって下方へ延びる一対の第１ロッドと、前記第１ロッドの下端につながって前記保護領域の前面を横切る第２ロッドとから形成されている請求項１記載の背負いプレート。
【請求項３】
前記第１ロッドの間の横寸法が、前記保護領域の両側縁間の横寸法よりもわずかに小さく、前記スタンドを固定するための横方向内方へ凹む凹部が、前記保護領域の中央部の両側縁に形成され、前記第１ロッドが、前記保護領域の両側縁を該保護領域の後面の側から前面の側へ向かって乗り越えて前記凹部に進入可能かつ前記保護領域の両側縁を該保護領域の前面の側から後面の側へ向かって乗り越えて前記凹部から退出可能であり、前記プレートでは、前記第１ロッドの上端近傍が前記凹部に進入することで、前記スタンドが前記保護領域と所定の角度をなした位置で前記プレートに固定される請求項２記載の背負いプレート。
【請求項４】
前記プレートでは、前記第１ロッドが前記保護領域の両側縁を該保護領域の前面の側から後面の側へ向かって乗り越えたときに、前記第１ロッドの大部分が前記保護領域の中央部の後面に密着しつつ、前記第２ロッドが前記保護領域の下端部の前面に密着して前記スタンドが畳まれた状態で前記プレートに固定される請求項３記載の背負いプレート。
【請求項５】
前記第２ロッドを係脱可能に固定するフックが、前記保護領域の下端部の前面に形成されている請求項２ないし請求項４いずれかに記載の背負いプレート。
【請求項６】
前記保護領域が、その中央部から下端部に向かって先細りを呈するように、前記保護領域の両側縁が、実質的に弧を画いて延びている請求項１ないし請求項５いずれかに記載の背負いプレート。
【発明の詳細な説明】
【０００１】
【発明の属する技術分野】
本発明は、高圧空気ボンベを背負うときに使用するボンベ背負いプレートに関する。
【０００２】
【従来の技術】
一酸化炭素が充満する屋内の火災現場では、消防士が一酸化炭素を吸引しないように空気を供給する高圧空気ボンベを背負って消火作業を行う。また、ガスや煤煙が発生する工場では、その従業員がガスや煤煙を吸引しないように空気を供給する高圧空気ボンベを背負って作業を行う。消防士や従業員は、ボンベを背負いプレートの後面に取り付けた後、締着ベルトを介してプレートを背中に固定するとともに、ボンベに吸気ホースを介して接続された面体を顔面に装着する。
【０００３】
ボンベ背負いプレートには、固定具を介して高圧空気ボンベを着脱可能に取り付ける装着領域と、装着領域の下方に位置し、ボンベの下部に取り付けられた減圧弁やそく止弁等の弁装置が外物に接触することを防ぐ保護領域とを有するものがある（特許文献１参照）。
【０００４】
特許文献１に開示のプレートの保護領域は、装着領域の両側部から下方へ延びた後に装着領域の後方へ折れ曲がる側面形状がＬ字型の第１ロッドと、第１ロッドの下端につながって弁装置の下方を横方向へ延びる第２ロッドとから形成されている。第１および第２ロッドは、鉄やアルミ、ステンレス等の金属で作られ、弁装置の前方と下方とを囲む枠を形成している。それらロッドは、消防士や従業員等の装着者が作業中に弁装置が柱や壁に接触することを防いだり、プレートを地面や床に置くときに弁装置が地面や床に接触することを防ぐ役割を有する。また、それらロッドは、地面や床に置いたプレートを縦方向に立てるためのスタンドとしても利用される。
【０００５】
【特許文献１】
特開平９−２８５５５８号公報（第３頁、第２および第４図）
【０００６】
【発明が解決しようとする課題】
前記特許文献１に開示の背負いプレートでは、第１ロッドがその中央部で略直角に折れ曲がるとともに、第１ロッドと第２ロッドとが略直交し、それらロッドが角張った枠を形成しているので、装着者が狭い場所で作業をするときに第１および第２ロッドが家具や備品、器具等の外物に引っ掛かってしまう場合がある。それらロッドが外物に引っ掛かると、それを外さなければならず、作業の障害になることはもちろん、外物がロッドに引っ張られて崩れ落ち、不測の事故につながる場合がある。また、作業中における第１および第２ロッドの外物への引っ掛かりを防ぐため、プレートにロッドを取り付けないと、プレートを立てることができないばかりか、弁装置が外物に接触して弁装置を損傷してしまう場合がある。
【０００７】
本発明の目的は、弁装置が外物に接触することを防ぎつつ、作業中における外物への引っ掛かりを未然に防ぐことができ、地面や床に置いたときに縦方向に立てることができるボンベ背負いプレートを提供することにある。
【０００８】
【課題を解決するための手段】
前記課題を解決するための本発明の前提は、縦方向に固定具を介して高圧空気ボンベを着脱可能に取り付ける装着領域と、前記装着領域の下方に位置して前記ボンベの下部に取り付けられた弁装置の外物への接触を防ぐ保護領域とを備え、前記ボンベを背負う装着者の背中と向かい合う前面と、前記ボンベと向かい合う後面とを有し、前記装着者の背中に締着ベルトを介して固定可能な縦長のボンベ背負いプレートである。
【０００９】
前記前提における本発明の特徴は、前記保護領域が、前記弁装置の下方に離間位置するように前記装着領域から下方へ延びるにつれて該装着領域の後方へ向かって次第に湾曲し、前記プレートが、前記保護領域の縦方向中央部から下方に延びていて該保護領域の前面で前後方向へ旋回可能なスタンドを備え、前記スタンドが、前記保護領域の前方へ旋回して該保護領域と所定の角度をなした位置で固定可能、かつ、前記保護領域の縦方向下端部と協働して任意の場所に据わることで前記プレートを縦方向に立てることが可能であることにある。
【００１０】
本発明の実施態様の一例としては、前記スタンドが、横方向へ対向離間して前記保護領域の中央部の後面に回転可能に支持された一対の横方向回転軸と、前記保護領域の両側縁近傍に位置するとともに前記回転軸につながって該保護領域の後面から前面に向かって下方へ延びる一対の第１ロッドと、前記第１ロッドの下端につながって前記保護領域の前面を横切る第２ロッドとから形成されている。
【００１１】
本発明の実施態様の他の一例としては、前記第１ロッドの間の横寸法が、前記保護領域の両側縁間の横寸法よりもわずかに小さく、前記スタンドを固定するための横方向内方へ凹む凹部が、前記保護領域の中央部の両側縁に形成され、前記第１ロッドが、前記保護領域の両側縁を該保護領域の後面の側から前面の側へ向かって乗り越えて前記凹部に進入可能かつ前記保護領域の両側縁を該保護領域の前面の側から後面の側へ向かって乗り越えて前記凹部から退出可能であり、前記プレートでは、前記第１ロッドの上端近傍が前記凹部に進入することで、前記スタンドが前記保護領域と所定の角度をなした位置で前記プレートに固定される。
【００１２】
本発明の実施態様の他の一例として、前記プレートでは、前記第１ロッドが前記保護領域の両側縁を該保護領域の前面の側から後面の側へ向かって乗り越えたときに、前記第１ロッドの大部分が前記保護領域の中央部の後面に密着しつつ、前記第２ロッドが前記保護領域の下端部の前面に密着して前記スタンドが畳まれた状態で前記プレートに固定される。
【００１３】
本発明の実施態様の他の一例としては、前記第２ロッドを係脱可能に固定するフックが、前記保護領域の下端部の前面に形成されている。
【００１４】
本発明の実施態様の他の一例としては、前記保護領域が、その中央部から下端部に向かって先細りを呈するように、前記保護領域の両側縁が、実質的に弧を画いて延びている。
【００１５】
【発明の実施の形態】
添付の図面を参照し、本発明に係るボンベ背負いプレートの詳細を説明すると、以下のとおりである。
【００１６】
図１，２は、一例として示す縦方向に立てた状態の背負いプレート１Ａの斜視図と、スタンド９を畳んだ状態で示すプレート１Ａの背面図とであり、図３，４は、図２のＩＩＩ−ＩＩＩ線端面図と、図２のＩＶ−ＩＶ線端面図とである。図１，２は、高圧空気ボンベ２をプレート１Ａに固定した状態で示すとともに、締着ベルト１０の一部を破断して示す。なお、図１，２では、横方向を矢印Ｌ、縦方向を矢印Ｍで示し、前後方向を矢印Ｎ（図１のみ）で示す。
【００１７】
背負いプレート１Ａは、縦方向へ長く、高圧空気ボンベ２を着脱可能に取り付ける装着領域３と、装着領域３の下方に位置する保護領域４とを有する。プレート１Ａの装着領域３と保護領域４とは、装着者の背中と向かい合う前面５と、ボンベ２と向かい合う後面６とを有する。プレート１Ａには、保護領域４の縦方向中央部７から下方へ延びるスタンド９が取り付けられている。プレート１Ａは、締着ベルト１０を介してボンベ２を背負う装着者の背中に固定される。
【００１８】
ボンベ２の下部１１には、そく止弁１２と減圧弁１３とから形成された弁装置１４が取り付けられている。減圧弁１３には、図示はしていないが、吸気ホースを介して面体が接続される。なお、締着ベルト１０は、前記従来技術のそれと同様に、肩ベルト１５や長さ調節用ベルト１６、腰ベルト１７から形成されている。それらベルト１５，１６，１７は、プレート１Ａに着脱可能である。
【００１９】
装着領域３は、縦寸法がボンベ２のそれと略同一であり、横寸法がボンベ２のそれと略同一またはボンベ２のそれよりもわずかに大きい。装着領域３は、その後面６にボンベ２を固定するための固定具１８を有する。固定具１８は、装着領域３に着脱可能に取り付けられた連結部材１９と、多数の係合孔を有する固定ベルト２０と、装着領域３に着脱可能に取り付けられた長さ調節部材２１とから形成されている。固定ベルト２０は、一方の端部が連結部材１９に取り付けられ、他方の端部が長さ調節部材２１に取り付けられている。そのような固定具１８としては、特開２００１−３１５６８９公報に開示されている。
【００２０】
ボンベ２を装着領域３に取り付けるには、ボンベ２を縦にした状態でそれを装着領域３の後面６に乗せ、固定ベルト２０をボンベ２の外周面に掛けた後、長さ調節部材２１を介して固定ベルト２０を締め、固定ベルト２０をボンベ２の外周面に密着させる。ボンベ２は、装着領域３の後面６に圧着した状態で固定される。ボンベ２をプレート１Ａに固定すると、ボンベ２の下部１１と弁装置１４とがプレート１Ａの保護領域４に位置する。装着者は、ボンベ２を固定したプレート１Ａを背負い、締着ベルト１０を介してプレート１Ａを背中に固定するとともに、面体を顔面に装着して作業を行う。
【００２１】
保護領域４は、装着領域３から下方へ延びるにつれて、弁装置１４の前方へ離間位置するように装着領域３の前方へわずかに湾曲した後、領域４の縦方向下端部８が弁装置１４の下方に離間位置するように、中央部７と下端部８とが装着領域３の後方へ向かって次第に湾曲している。さらに、保護領域４は、ボンベ２の外周面を囲繞するように後面６を内側にして横方向へ湾曲している。保護領域４は、弁装置１４の前方と下方とを囲んでいる。保護領域４は、装着者が作業中に弁装置１４を損傷することがないように、装着者がその動作によって弁装置１４を柱や壁、床、家具、備品、器具等の外物に不用意に衝突させることを未然に防ぐ役割を有する。
【００２２】
保護領域４は、中央部７から下端部８に向かって先細りを呈するように、その両側縁２２が実質的に弧を画いて延びている。両側縁２２の近傍は、面取りが施されて稜角が削られている。両側縁２２近傍の周面は、所定の曲率半径を有する略円弧状を呈する。保護領域４の中央部７は、その横寸法が弁装置１４のそれよりも大きい。保護領域４の中央部７の両側縁２２には、スタンド９の旋回範囲を規制するとともに、スタンド９を固定するための横方向内方へ凹む一対の凹部２３が形成されている。凹部２３は、プレート１Ａの横方向内方へ向かって先細りの略Ｕ字型を呈する。
【００２３】
スタンド９は、保護領域４の中央部７に取り付けられた一対の横方向回転軸２４と、回転軸２４につながる一対の第１ロッド２５と、第１ロッド２５の下端２８につながって横方向へ延びる第２ロッド２６とから形成されている。スタンド９は、それを正面から見たときの形状が略矩形の枠状を呈する。スタンド９は、可撓性を有し、縦方向と横方向とへ弾性変形可能であり、回転軸２４の回転にともなって軸２４を中心に保護領域４の前面５で前後方向へ旋回可能である。
【００２４】
回転軸２４は、中央部７の後面６に位置し、横方向へ対向離間している。回転軸２４は、中央部７の後面６に取り付けられた軸受２９に挿通され、軸受２９に回転可能に支持されている。軸受２９は、ビス３０を介してプレート１Ａに固定されている。なお、軸受２９は、プレート１Ａに一体的に成形されていてもよい。
【００２５】
第１ロッド２５は、保護領域４の両側縁２２近傍に位置するとともに、領域４の後面６から領域４の両側縁２２を跨ぎ、領域４の前面５に向かって下方へ延びている。第１ロッド２５の間の横寸法は、保護領域４の両側縁２２間の横寸法よりもわずかに小さい。第１ロッド２５の上下端２７，２８間の長さ寸法は、領域４の中央部７と下端部８との間の長さ寸法よりも小さい。第２ロッド２６は、保護領域４の前面５を横切っている。
【００２６】
図５，６は、スタンド９を畳んだ状態で示すプレート１Ａの側面図と、縦方向に立てた状態で示すプレート１Ａの側面図とであり、図７は、保護領域４のみを示すプレート１Ａの正面図である。図５，６では、締着ベルト１０と固定具１８との図示を省略している。
【００２７】
図５の状態にあるプレート１Ａを縦方向に立てる手順は、以下のとおりである。第２ロッド２６を手で持ち、スタンド９を保護領域４の下端部８から中央部７に向かって矢印Ｎ１で示す前方へ強く旋回させる。スタンド９を前方へ旋回させると、スタンド９が弾性変形し、第１ロッド２５が両側縁２２近傍の周面の円弧に沿って横方向外方へ次第に広がり、ロッド２５の間の横寸法が伸び、それらロッド２５が保護領域４の両側縁２２を領域４の後面６の側から前面５の側へ向かって乗り越える。第１ロッド２５が両側縁２２を乗り越えると、ロッド２５の上端２７近傍が凹部２３に進入し、ロッド２５の間の横寸法がスタンド９の弾性変形以前の状態に戻る。プレート１Ａでは、第１ロッド２５の上端２７近傍が凹部２３に進入した時点で、スタンド９がプレート１Ａに固定され、プレート１Ａの前後方向への旋回が停止し、図６の状態になる。
【００２８】
第１ロッド２５の上端２７近傍が凹部２３に進入すると、図６に示すように、スタンド９と保護領域４の下端部８とが所定の角度をなし、スタンド９と下端部７とが末広がりの逆Ｖ字型を形成する。このプレート１Ａは、保護領域４の下端部８を下にした状態でプレート１Ａを地面や床等の任意の場所に置くと、スタンド９と領域４の下端部８とが協働してその場所に据わる。プレート１Ａは、スタンド９と保護領域４の下端部８とを介して縦方向に立てることができる。なお、スタンド９と下端部８とのなす角度は、８０〜１２０度の範囲にあることが好ましい。角度は、スタンド９の旋回範囲を変えることによって調節することができる。スタンド９の旋回範囲は、保護領域４の中央部７の両側縁２２に形成する凹部２３の位置を変えることによって調節することができる。
【００２９】
装着者が図６の状態にあるプレート１Ａを背中に背負う手順は、以下のとおりである。第２ロッド２６を手で持ち、スタンド９を保護領域４の中央部７から下端部８に向かって矢印Ｎ２で示す後方へ強く旋回させる。プレート１Ａでは、スタンド９をプレート１Ａの後方へ旋回させることによってスタンド９が弾性変形し、第１ロッド２５が凹部２３の傾斜に沿って横方向外方へ次第に広がり、ロッド２５の間の横寸法が伸び、それらロッド２５の上端２７近傍が凹部２３から退出する。上端２７近傍が凹部２３から退出した後、さらにスタンド９を後方に旋回させると、第１ロッド２５が両側縁２２近傍の周面の円弧に沿って横方向外方へ次第に広がり、ロッド２５の間の横寸法が伸び、それらロッド２５が保護領域４の両側縁２２を領域４の前面５の側から後面６の側へ向かって乗り越える。第１ロッド２５が両側縁２２を乗り越えると、ロッド２５の間の横寸法がスタンド９の弾性変形以前の状態に戻り、第１ロッド２５の大部分が保護領域４の中央部７の後面６に密着するとともに、第２ロッド２６が保護領域４の下端部８の前面５に密着し（図７参照）、スタンド９が畳まれた状態でプレート１Ａの保護領域４に固定され、図５の状態になる。スタンド９を後方へ旋回させた後、プレート１Ａを背負い、締着ベルト１０を介してプレート１Ａを背中に固定する。
【００３０】
このプレート１Ａは、保護領域４が装着領域３から下方に延びるにつれて装着領域３の後方へ次第に湾曲しているので、保護領域４が角張ることはなく、プレート１Ａを背負った装着者が狭い場所で作業したとしても保護領域４が外物に引っ掛かることはない。
【００３１】
プレート１Ａは、図５に示すように、第１ロッド２５の大部分が保護領域４の中央部７の後面６に密着するとともに、第２ロッド２６が保護領域４の下端部８の前面５に密着することで、スタンド９をプレート１Ａの保護領域４に固定することができ、スタンド９の畳んだ状態が維持されるので、プレート１Ａを背中に背負ったときのスタンド９の不用意な旋回を防ぐことができる。
【００３２】
プレート１Ａは、スタンド９を畳んだ状態でプレート１Ａに固定したときに、第１ロッド２５と第２ロッド２６との大部分が領域４の両側縁２２の内側に位置するので、それらロッド２５，２６が両側縁２２から外側にはみ出すことはなく、スタンド９が外物に引っ掛かってしまうことはない。
【００３３】
プレート１Ａは、スタンド９を畳んだときに、第２ロッド２６が保護領域４の前面５に密着するので、スタンド９が保護領域４の後面６の側に向かって旋回してしまうことはなく、スタンド９が弁装置１４に衝突することはない。
【００３４】
図８，９は、他の一例として示す縦方向に立てた状態の背負いプレート１Ｂの斜視図と、スタンド９をフック３１に掛けた状態で示すプレート１Ｂの背面図とであり、図１０，１１は、保護領域４のみを示すプレート１Ｂの正面図と、図８のＸＩ−ＸＩ線端面図とである。図８，９は、高圧空気ボンベ２をプレート１Ｂに固定した状態で示すとともに、締着ベルト１０の一部を破断して示す。なお、図８，９では、横方向を矢印Ｌ、縦方向を矢印Ｍで示し、前後方向を矢印Ｎ（図８のみ）で示す。
【００３５】
背負いプレート１Ｂは、高圧空気ボンベ２を着脱可能に取り付ける装着領域３と、装着領域３の下方に位置する保護領域４とを有する。プレート１Ｂの装着領域３と保護領域４とは、装着者の背中と向かい合う前面５と、ボンベ２と向かい合う後面６とを有する。プレート１Ｂには、保護領域４の縦方向中央部７から下方へ延びるスタンド９が取り付けられている。プレート１Ｂは、肩ベルト１５や長さ調節用ベルト１６、腰ベルト１７から形成された締着ベルト１０を介して装着者の背中に固定される。ボンベ２の下部１１には、そく止弁１２と減圧弁１３とから形成された弁装置１４が取り付けられている。
【００３６】
装着領域３は、その後面６にボンベ２を固定するための固定具１８を有する。固定具１８は、装着領域３に着脱可能に取り付けられた連結部材１９と、多数の係合孔を有する固定ベルト２０と、装着領域３に着脱可能に取り付けられた長さ調節部材２１とから形成されている。固定具１８を介してボンベ２をプレート１Ｂに固定すると、ボンベ２の下部１１と弁装置１４とがプレート１Ｂの保護領域４に位置する。
【００３７】
保護領域４は、装着領域３から下方へ延びるにつれて、弁装置１４の前方へ離間位置するように装着領域３の前方へわずかに湾曲した後、領域４の縦方向下端部８が弁装置１４の下方に離間位置するように、中央部７と下端部８とが装着領域３の後方へ向かって次第に湾曲している。さらに、保護領域４は、ボンベ２の外周面を囲繞するように後面６を内側にして横方向へ湾曲している。
【００３８】
保護領域４は、中央部７から下端部８に向かって先細りを呈するように、その両側縁２２が実質的に弧を画いて延びている。両側縁２２近傍の周面は、所定の曲率半径を有する略円弧状を呈する。保護領域４の中央部７の両側縁２２には、スタンド９の旋回範囲を規制するとともに、スタンド９を固定するための横方向内方へ凹む一対の凹部２３が形成されている。凹部２３は、プレート１Ｂの横方向内方へ向かって先細りの略Ｕ字型を呈する。保護領域４の下端部８の前面５には、フック３１が取り付けられている。フック３１は、図１０に示すように、領域４の両側縁２２間の横寸法を二分する縦中心線３４上に位置している。
【００３９】
スタンド９は、保護領域４の中央部７に取り付けられた一対の横方向回転軸２４と、回転軸２４につながる一対の第１ロッド２５と、第１ロッド２５の下端２８につながって横方向へ延びる第２ロッド２６とから形成されている。スタンド９は、それを正面から見たときの形状が保護領域４の下端部８へ向かって先細りの枠状を呈する。スタンド９は、可撓性を有し、縦方向と横方向とへ弾性変形可能であり、回転軸２４の回転にともなって軸２４を中心に保護領域４の前面５で前後方向へ旋回可能である。
【００４０】
回転軸２４は、中央部７の後面６に位置し、横方向へ対向離間している。回転軸２４は、中央部７の後面６に取り付けられた軸受２９に挿通され、軸受２９に回転可能に支持されている。フック３１は、その側面形状が略Ｌ字型を呈し、保護領域４の下端部８から下方へ延びる基端部３２と、基端部３２から後方へ延びる頂部３３とを有する。
【００４１】
第１ロッド２５は、保護領域４の両側縁２２の外側近傍に位置するとともに、領域４の後面６から領域４の両側縁２２を跨ぎ、領域４の前面５に向かって下方へ延びている。それら第１ロッド２５は、上端２７から下端２８に向かうにつれて縦中心線３４に次第に近づくように延びている。第１ロッド２５の上端２７間の横寸法は、回転軸２４近傍における保護領域４の中央部７の両側縁２２間の横寸法よりもわずかに小さい。第１ロッド２５の上下端２７，２８間の長さ寸法は、領域４の中央部７と下端部８との間の長さ寸法よりも小さい。第２ロッド２６は、保護領域４の前面５を横切っている。
【００４２】
図９の状態にあるプレート１Ｂを縦方向に立てる手順は、以下のとおりである。最初にフック３１から第２ロッド２６を外す。第２ロッド２６をフック３１から外すには、第２ロッド２６を手で持ち、ロッド２６をプレート１Ｂの後方へ引っ張り、ロッド２６がフック３１の頂部３３を乗り越えるようにスタンド９をプレート１Ｂの前方へ旋回させる。プレート１Ｂでは、第２ロッド２６をプレート１Ｂの後方へ引っ張ることによってスタンド９が弾性変形し、第１ロッド２６の上下端２７，２８間の長さ寸法がわずかに伸びるので、第２ロッド２６がフック３１の頂部３３を乗り越えることができる。
【００４３】
第２ロッド２６をフック３１から外した後、スタンド９を保護領域４の下端部８から中央部７に向かって前方へ旋回させると、第１ロッド２５の上端２７近傍が保護領域４の中央部７の両側縁２２に当接する。プレート１Ｂでは、上端２７近傍が中央部７の両側縁２２に当接した後にスタンド９をさらに前方へ旋回させることによってスタンド９が弾性変形し、第１ロッド２５が両側縁２２近傍の周面の円弧に沿って横方向外方へ次第に広がり、ロッド２６の上端２７間の横寸法がわずかに伸びて上端２７近傍が中央部７の両側縁２２を領域４の後面６の側から前面５の側へ向かって乗り越える。第１ロッド２５の上端２７近傍が側縁２２を乗り越えると、上端２７近傍が凹部２３に進入し、ロッド２５の上端２７間の横寸法がスタンド９の弾性変形以前の状態に戻る。プレート１Ｂでは、第１ロッド２５の上端２７近傍が凹部２３に進入した時点で、スタンド９がプレート１Ｂに固定され、プレート１Ｂの前後方向への旋回が停止し、図８の状態になる。
【００４４】
第１ロッド２５の上端２７近傍が凹部２３に進入すると、スタンド９と保護領域４の下端部８とが所定の角度をなし、スタンド９と下端部８とが末広がりの逆Ｖ字型を形成する。このプレート１Ｂは、保護領域４の下端部８を下にした状態でプレート１Ｂを地面や床等の任意の場所に置くと、スタンド９と領域４の下端部８とが協働してその場所に据わる。プレート１Ｂは、スタンド９と保護領域４の下端部８とを介して縦方向に立てることができる。
【００４５】
装着者が図８の状態にあるプレート１Ｂを背中に背負う手順は、以下のとおりである。第１ロッド２５を手で持ち、スタンド９をプレート１Ｂの後方へ強く旋回させる。プレート１Ｂでは、スタンド９をプレート１Ｂの後方へ旋回させることによってスタンド９が弾性変形し、第１ロッド２５が凹部２３の傾斜に沿って横方向外方へ次第に広がり、ロッド２５の上端２７間の横寸法がわずかに伸びてロッド２５の上端２７近傍が中央部７の側縁２２を領域４の前面５の側から後面６の側へ向かって乗り越える。第１ロッド２５の上端２７近傍が側縁２２を乗り越えると、上端２７近傍が凹部２３から退出し、スタンド９を領域４の前面５で自由に旋回させることができる。
【００４６】
スタンド９を保護領域４の下端部８に向かって旋回させた後は、第２ロッド２６を手で持ち、スタンド９を後方へ引っ張る。後方へ引っ張られたスタンド９は、弾性変形して第１ロッド２５の上下端２７，２８間の長さ寸法がわずかに伸びるので、第２ロッド２６がフック３１の頂部３３を乗り越えることができる。第２ロッド２６がフック３１の頂部３３を乗り越えると、第１ロッド２５の上下端２７，２８間の長さ寸法がスタンド９の弾性変形以前の状態に戻り、第２ロッド２６がフック３１に掛かり、図９の状態になる。第２ロッド２６をフック３１に掛けた後は、プレート１Ｂを背負い、締着ベルト１０を介してプレート１Ｂを背中に固定する。
【００４７】
このプレート１Ｂは、保護領域４が装着領域３から下方に延びるにつれて装着領域３の後方へ次第に湾曲しているので、保護領域４が角張ることはなく、プレート１Ａを背負った装着者が狭い場所で作業したとしても保護領域４が外物に引っ掛かることはない。
【００４８】
プレート１Ｂは、第２ロッド２６をフック３１に掛けることで、スタンド９を保護領域４に固定することができ、プレート１Ｂを背中に背負ったときのスタンド９の不用意な旋回を防ぐことができる。プレート１Ｂは、第２ロッド２６をフック３１に掛けたときに、第１ロッド２５の大部分と第２ロッド２６とが領域４の両側縁２２の内側であって領域４の前面５に位置するので、それらロッド２５，２６が領域４の両側縁２２から外側にはみ出すことはなく、スタンド９が外物に引っ掛かってしまうことはない。
【００４９】
プレート１Ｂは、装着者が作業中に誤って第２ロッド２６がフック３１から外れたとしても、スタンド９が保護領域４の前面５と装着者の背中との間に位置するので、スタンド９が保護領域４の後面６に向かって旋回することはなく、スタンド９が外物に引っ掛かってしまうことやスタンド９が弁装置１４に衝突することはない。なお、このプレート１Ｂでは、保護領域４の下端部８にフック３１が取り付けられていなくてもよい。
【００５０】
それら図示のプレート１Ａ，１Ｂでは、軸受２９の径を回転軸２４の径よりもわずかに小さくし、軸受２９の内周面と回転軸２４の外周面との摩擦を大きくしてスタンド９が自然に旋回しないようにすることもできる。
【００５１】
それら図示のプレート１Ａ，１Ｂでは、保護領域４が先細りを呈することなく、保護領域４の両側縁２２が中央部７から下端部８に向かって弧を画く形状でなくてもよい。それらプレート１Ａ，１Ｂは、凹部２３が中央部７の両側縁２２に形成されているが、凹部２３が中央部７のいずれか一方の側縁２２にだけ形成されていてもよい。
【００５２】
プレート１Ａ，１Ｂやスタンド９は、それらの材質について特に限定はないが、プラスチックまたは鉄やアルミ、ステンレス等の金属から作ることができる。プラスチックには、熱硬化性のものや熱可塑性であって難燃性のものを使用することが好ましく、金属には、比重の軽いものを使用することが好ましい。
【００５３】
【発明の効果】
本発明にかかる背負いプレートによれば、保護領域が装着領域から下方に延びるにつれて装着領域の後方へ向かって次第に湾曲しているので、保護領域が略直角に折れ曲がる場合と比較し、保護領域が角張ることはなく、プレートを背負った装着者が狭い場所で作業したとしても保護領域が外物に引っ掛かることはない。このプレートは、保護領域の前面で前後方向へ旋回可能なスタンドが取り付けられているので、所定の角度をなしたスタンドと保護領域の下端部とが協働して任意の場所に据わることでプレートを縦方向に安定して立てることができる。
【００５４】
スタンドを固定するための横方向内方へ凹む凹部が保護領域の中央部の両側縁に形成されたプレートでは、スタンドを保護領域の下端部から前方へ向かって旋回させたときに、第１ロッドが保護領域の両側縁を乗り越えて凹部に進入し、スタンドの前後方向への旋回が停止する。このプレートは、第１ロッドが凹部に進入することで、スタンドと保護領域の下端部とが所定の角度をなした位置で、スタンドをプレートに固定することができ、立てたプレートが不用意に倒れてしまうことを防ぐことができる。
【００５５】
スタンドを形成する第１ロッドが保護領域の両側縁を保護領域の前面の側から後面の側へ向かって乗り越えたときに、第１ロッドの大部分が保護領域の中央部の後面に密着するとともに、第２ロッドが保護領域の下端部の前面に密着するプレートでは、スタンドを畳んだ状態でプレートの保護領域に固定することができ、プレートを背中に背負ったときのスタンドの不用意な旋回を防ぐことができる。
【００５６】
スタンドを形成する第２ロッドを係脱可能に固定するフックが保護領域の下端部の前面に形成されたプレートでは、プレートを背負うときに第２ロッドをフックに掛けることで、スタンドを畳んだ状態で保護領域に固定することができ、プレートを背中に背負ったときのスタンドの不用意な旋回を防ぐことができる。
【００５７】
保護領域がその中央部から下端部に向かって先細りを呈するように、保護領域の両側縁が実質的に弧を画いて延びるプレートでは、保護領域の両側縁が角張ることはなく、保護領域が外物に引っ掛かることを確実に防ぐことができる。
【図面の簡単な説明】
【図１】一例として示す縦方向に立てた状態の背負いプレートの斜視図。
【図２】スタンドをフック部材に掛けた状態で示すプレートの背面図。
【図３】保護領域のみを示すプレートの正面図。
【図４】スタンドの第２ロッドをフック部材に掛けた状態で示すプレートの側面図。
【図５】縦方向に立てた状態で示すプレートの側面図。
【図６】図１のＶＩ−ＶＩ線端面図。
【図７】図１のＶＩＩ−ＶＩＩ線端面図。
【図８】他の一例として示す縦方向に立てた状態の背負いプレートの斜視図。
【図９】スタンドをフックに掛けた状態で示すプレートの背面図。
【図１０】保護領域のみを示すプレートの正面図。
【図１１】図８のＸＩ−ＸＩ線端面図。
【符号の説明】
１Ａ          ボンベ背負いプレート
１Ｂ          ボンベ背負いプレート
２            高圧空気ボンベ
３            装着領域
４            保護領域
５            前面
６            後面
７            縦方向中央部
８            縦方向下端部
９            スタンド
１０            締着ベルト
１１            下部
１４            弁装置
１８            固定具
２２            両側縁
２３            凹部
２４            横方向回転軸
２５            第１ロッド
２６            第２ロッド
２７            上端
２８            下端
２９            軸受
３１            フック
３４            縦中心線
【図１】
2004275436.tif 000003
【図２】
2004275436.tif 000004
【図３】
2004275436.tif 000005
【図４】
2004275436.tif 000006
【図５】
2004275436.tif 000007
【図６】
2004275436.tif 000008
【図７】
2004275436.tif 000009
【図８】
2004275436.tif 000010
【図９】
2004275436.tif 000011
【図１０】
2004275436.tif 000012
【図１１】
2004275436.tif 000013